【手続補正書】
【提出日】平成17年6月8日(2005.6.8)
【手続補正１】
【補正対象書類名】明細書
【補正対象項目名】発明の名称
【補正方法】変更
【補正の内容】
【発明の名称】はさみとして構成された眼科顕微手術用切断器具
【手続補正２】
【補正対象書類名】明細書
【補正対象項目名】特許請求の範囲
【補正方法】変更
【補正の内容】
【特許請求の範囲】
【請求項１】
はさみとして構成された一つの顕微手術用器具であって、
把手として構成されたハウジングとハウジングに配設された摺動装置と、
中空針として構成されそこに同軸に配設された杆状部を持つプローブと、
杆状部の遠端部に配設され２個の切断部材を持つはさみとして構成された切断デバイス、
より成り、各切断デバイスは弓弧状および真直ぐの形状の一つを有し、各切断部材は切刃を配設され、開放位置にあり切刃の遠端部からプローブの遠端部にまで伸長する切断端部は鋭角でお互いに対向し、従ってプローブが切断部材の先端方向に移動すると、切断端部が切断動作を行うために相互に係合することを特徴とするはさみとして構成された眼科顕微手術用切断器具。
【請求項２】
請求項１記載の顕微手術用切断器具であって、更に管状プローブ内に同軸に配設される少なくとも１個の光ファイバーを含み、ここで前記光ファイバーは一端で光源と接続され、また他の一端でははさみの閉じたまたは開いた位置で相互に符合する２枚の切刃による切断動作を照明するように構成されることを特徴とするはさみとして構成された眼科顕微手術用切断器具。
【請求項３】
請求項１記載の顕微手術用切断器具であって、更にプローブ内で同軸に支持され、目前の手術視野の光学的記録のためにプローブの遠端部から突出し、他の端部では光学的記録の視覚イメージを投影するカメラと対応モニターとに接続される少なくとも１個の光ガイドを含むことを特徴とするはさみとして構成された眼科顕微手術用切断器具。
【請求項４】
請求項１記載の顕微手術用切断器具であって、ここで管状プローブから突出する少なくとも２枚の切刃が、鋭角の曲げ角度αで切刃の先端の方向でプローブの縦軸に関連して半径Ｒで同時に曲がることを特徴とするはさみとして構成された眼科顕微手術用切断器具。
【請求項５】
請求項４記載の顕微手術用切断器具であって、ここでプローブの前面から出発し切刃の先端に対して縦軸に沿って伸長する２枚の切刃の長さは、プローブの外径から切刃の先端まで伸びる高さ以下ではないことを特徴とするはさみとして構成された眼科顕微手術用切断器具。
【請求項６】
請求項４記載の顕微手術用切断器具であって、ここでプローブの前面から出発し切刃の先端に対して縦軸に沿って伸長する２枚の切刃の長さは、プローブの外径から切刃の先端まで伸びる高さ以下であることを特徴とするはさみとして構成された眼科顕微手術用切断器具。
【請求項７】
請求項１記載の顕微手術用切断器具であって、ここで切刃の先端に向かう方向で切断部材に配設された切刃が真っ直ぐな切刃として構成され、またここで切刃部材の開放位置で、プローブの方向で切断部材の先端から出発する２個の切断端部が、鋭角γでの距離に沿って符合することを特徴とするはさみとして構成された眼科顕微手術用切断器具。
【請求項８】
請求項１記載の顕微手術用切断器具であって、ここでプローブの前面から距離を置いて、切刃が各切断部材に配設され、各切断部材は槍の形状に構成され切断部材の先端に向かう方向で先細になり、またここで２枚の切刃は鋭角αと半径Ｒでプローブの縦軸に対し上向きに一緒に曲がることを特徴とするはさみとして構成された眼科顕微手術用切断器具。
【請求項９】
請求項８記載の顕微手術用切断器具であって、ここで切刃に配設された切断端部が、距離Ｄに沿って鋭角γでプローブの方向で切断部材の先端から出発する切断部材の開放位置でお互いに符合することを特徴とするはさみとして構成された眼科顕微手術用切断器具。
【請求項１０】
請求項１記載の顕微手術用切断器具であって、ここでプローブから突出する切断部材に配設される２枚の切刃が、弓形鉤の形状に構成され、はさみの先端の方向で先細になり、そのためお互いに符合する刃が、プローブが軸方向に移動する時に一部分により各切刃の内側で切断係合をもたらされることを特徴とするはさみとして構成された眼科顕微手術用切断器具。
【請求項１１】
請求項１０記載の顕微手術用切断器具であって、ここで切刃のアーク型外縁部からはさみの先端まで伸長する高さに関して、はさみの先端まで縦軸に沿ってプローブの前面から伸長する鉤形状切刃の長さが同じか大きいことを特徴とするはさみとして構成された眼科顕微手術用切断器具。
【請求項１２】
請求項１記載の顕微手術用切断器具であって、ここで閉鎖位置にありプローブから突出する２枚の切刃が、プローブの縦軸に対してはさみの先端の方向で約４０°乃至６５°の曲げ角度αで、また約１．８ｍｍ乃至２．０ｍｍの半径Ｒで一緒に曲がり、またここでプローブの前面からはさみの先端まで伸びる長さは約２．５ｍｍ乃至３．８ｍｍで、プローブの外壁からはさみの先端まで伸びる高さが約１．７ｍｍ乃至２．０ｍｍであることを特徴とするはさみとして構成された眼科顕微手術用切断器具。
【請求項１３】
請求項１記載の顕微手術用切断器具であって、ここで閉鎖位置にありプローブから突出する２枚の切刃が、プローブの縦軸に対してはさみの先端の方向で６０°の曲げ角度αで、また２．０ｍｍの半径Ｒで一緒に曲がり、またここでプローブの前面からはさみの先端までの方向で伸びる長さは３．０ｍｍで、プローブの外壁からはさみの先端まで伸びる高さが１．５５ｍｍであることを特徴とするはさみとして構成された眼科顕微手術用切断器具。
【請求項１４】
請求項１記載の顕微手術用切断器具であって、ここでプローブから突出する２枚の切刃が、プローブの縦軸に対してはさみの先端の約６５°の曲げ角度αで、また約１．５ｍｍ乃至１．８ｍｍの半径Ｒで一緒に曲がり、またここでプローブの前面からはさみの先端の方向で伸びる長さおよび更に、プローブの外壁からはさみの先端までの伸びる高さは１．５ｍｍ乃至１．８ｍｍの範囲になることを特徴とするはさみとして構成された眼科顕微手術用切断器具。
【請求項１５】
請求項１記載の顕微手術用切断器具であって、ここで切断部材の開放位置で、プローブの方向で切断部材それぞれの先端から伸びる距離は約１．０ｍｍ乃至２．０ｍｍであり、望ましくは１．５ｍｍであり、開放角γは約９°乃至１６°で、望ましくは１２°であることを特徴とするはさみとして構成された眼科顕微手術用切断器具。
【請求項１６】
請求項１記載の顕微手術用切断器具であって、ここで一体に形成された刃先を持つ２枚の切刃が、約１°乃至３°、望ましくは１．４°の交差角でお互いに符合する開放位置で交差することを特徴とするはさみとして構成された眼科顕微手術用切断器具。
【請求項１７】
請求項１記載の顕微手術用切断器具であって、ここではさみの閉鎖位置で、一体に形成された刃先を持つ２枚の切刃が、０．０１ｍｍ乃至０．０３ｍｍの範囲の半径Ｒ′ではさみの丸先を共同で形成することを特徴とするはさみとして構成された眼科顕微手術用切断器具。
【請求項１８】
請求項１記載の顕微手術用切断器具であって、更に
ａ．光源に一端で接続され、またプローブに軸支され距離を置いて切断部材と会合する一つの光ファイバー、および
ｂ．ここで光ファイバーは、はさみが開放位置または閉鎖位置にある時に上向きに曲がりまたは真直ぐになるように構成される２枚の切刃を照明するように構成され、
ｃ．プローブ内で同軸に伸びる光チャンネルに同軸に支持される一つの光ガイド、および
ｄ．ここで光ガイドを支持する光チャンネルが手術手続の光学記録のために遠端部で構成され、
ｅ．ここで光ガイドを支持する光チャンネルのも一つの端部がカメラに接続され、それが更に手術野からの像を視覚で提供するモニタースクリーンと接続されているもの、
これらを含むことを特徴とするはさみとして構成された眼科顕微手術用切断器具。
【手続補正３】
【補正対象書類名】明細書
【補正対象項目名】０００１
【補正方法】変更
【補正の内容】
【０００１】
【発明の属する技術分野】
本発明は、はさみとして構成された型の顕微手術用切断器具に関し、本切断器具は把手として構成されたハウジングと、中空針として構成され、杆状部の遠端部に配設された切断デバイスを持つ杆状部を軸支するプローブの軸摺動運動のためにハウジングに配設されたデバイスとを含む。
【手続補正４】
【補正対象書類名】明細書
【補正対象項目名】０００９
【補正方法】変更
【補正の内容】
【０００９】
本発明に基づく切断器具の更なる実施例において、器具には光ファイバー（ライトガイド）が配設され、これは管状プローブに同軸に配設され、一端部で光源と接続され、プローブから突出し、また開放位置または閉鎖位置でお互いに対向する切断器具、とりわけ２枚の切刃の遠端部を照明するように構成される。光ファイバーは、手術実施中にはさみの先端、２個の切断部材の刃先それぞれを照明するように設計され、それにより、手術野を照明し隣接する分野の組織も十分可視になるようにする。
【手続補正５】
【補正対象書類名】明細書
【補正対象項目名】００１０
【補正方法】変更
【補正の内容】
【００１０】
本発明に基づく器具の最適取扱い法として、光ガイド（オプティカルガイド）を配設された光チャンネルがプローブ内の光ファイバーと会合する。この光ガイドによって、手術野と視野からの画像が、プローブの最初の挿入から手術手順の期間中モニタースクリーンに転送される。この器具の特殊な実施例は、手術野を手術医にたやすく視覚化して良好な画像を提供し、小さな器官腔での間違いのない手術手順を実施することができる。
【手続補正６】
【補正対象書類名】明細書
【補正対象項目名】００１３
【補正方法】変更
【補正の内容】
【００１３】
（１）はさみとして構成された一つの顕微手術用器具であって、
把手として構成されたハウジングとハウジングに配設された摺動装置と、
中空針として構成されそこに同軸に配設された杆状部を持つプローブと、
杆状部の遠端部に配設され２個の切断部材を持つはさみとして構成された切断デバイス、
より成り、各切断デバイスは弓弧状および真っ直ぐの形状の一つを有し、各切断部材は切刃を配設され、開放位置にあり切刃の遠端部からプローブの遠端部にまで伸長する切断端部は鋭角でお互いに対向し、従ってプローブが切断部材の先端方向に移動すると、切断端部が切断動作を行うために相互に係合することを特徴とするはさみとして構成された眼科顕微手術用切断器具。
【手続補正７】
【補正対象書類名】明細書
【補正対象項目名】００１５
【補正方法】変更
【補正の内容】
【００１５】
（３）前記（１）記載の顕微手術用切断器具であって、更にプローブ内で同軸に支持され、目前の手術視野の光学的記録のためにプローブの遠端部から突出し、他の端部では光学的記録の視覚イメージを投影するカメラと対応モニターとに接続される少なくとも１個の光ガイドを含むことを特徴とするはさみとして構成された眼科顕微手術用切断器具。
【手続補正８】
【補正対象書類名】明細書
【補正対象項目名】００２４
【補正方法】変更
【補正の内容】
【００２４】
（１２）前記（１）記載の顕微手術用切断器具であって、ここで閉鎖位置にありプローブから突出する２枚の切刃が、プローブの縦軸に対してはさみの先端の方向で約４０°乃至６５°の曲げ角度αで、また約１．８ｍｍ乃至２．０ｍｍの半径Ｒで一緒に曲がり、またここでプローブの前面からはさみの先端まで伸びる長さは約２．５ｍｍ乃至３．８ｍｍで、プローブの外壁からはさみの先端まで伸びる高さが約１．７ｍｍ乃至２．０ｍｍであることを特徴とするはさみとして構成された眼科顕微手術用切断器具。
【手続補正９】
【補正対象書類名】明細書
【補正対象項目名】００２５
【補正方法】変更
【補正の内容】
【００２５】
（１３）前記（１）記載の顕微手術用切断器具であって、ここで閉鎖位置にありプローブから突出する２枚の切刃が、プローブの縦軸に対してはさみの先端の方向で６０°の曲げ角度αで、また２．０ｍｍの半径Ｒで一緒に曲がり、またここでプローブの前面からはさみの先端までの方向で伸びる長さは３．０ｍｍで、プローブの外壁からはさみの先端まで伸びる高さが１．５５ｍｍであることを特徴とするはさみとして構成された眼科顕微手術用切断器具。
【手続補正１０】
【補正対象書類名】明細書
【補正対象項目名】００２６
【補正方法】変更
【補正の内容】
【００２６】
（１４）前記（１）記載の顕微手術用切断器具であって、ここでプローブから突出する２枚の切刃が、プローブの縦軸に対してはさみの先端の約６５°の曲げ角度αで、また約１．５ｍｍ乃至１．８ｍｍの半径Ｒで一緒に曲がり、またここでプローブの前面からはさみの先端の方向で伸びる長さおよび更に、プローブの外壁からはさみの先端までの伸びる高さは１．５ｍｍ乃至１．８ｍｍの範囲になることを特徴とするはさみとして構成された眼科顕微手術用切断器具。
【手続補正１１】
【補正対象書類名】明細書
【補正対象項目名】００３０
【補正方法】変更
【補正の内容】
【００３０】
（１８）前記（１）記載の顕微手術用切断器具であって、更に
ａ．光源に一端で接続され、またプローブに軸支され距離を置いて切断部材と会合する一つの光ファイバー、および
ｂ．ここで光ファイバーは、はさみが開放位置または閉鎖位置にある時に上向きに曲がりまたは真直ぐになるように構成される２枚の切刃を照明するように構成され、
ｃ．プローブ内で同軸に伸びる光チャンネルに同軸に支持される一つの光ガイド、および
ｄ．ここで光ガイドを支持する光チャンネルが手術手続の光学記録のために遠端部で構成され、
ｅ．ここで光ガイドを支持する光チャンネルのも一つの端部がカメラに接続され、それが更に手術野からの像を視覚で提供するモニタースクリーンと接続されているもの、
これらを含むことを特徴とするはさみとして構成された眼科顕微手術用切断器具。
【手続補正１２】
【補正対象書類名】明細書
【補正対象項目名】００３１
【補正方法】削除
【補正の内容】
【手続補正１３】
【補正対象書類名】明細書
【補正対象項目名】００３２
【補正方法】削除
【補正の内容】
【手続補正１４】
【補正対象書類名】明細書
【補正対象項目名】００３３
【補正方法】削除
【補正の内容】
【手続補正１５】
【補正対象書類名】明細書
【補正対象項目名】００３４
【補正方法】削除
【補正の内容】
【手続補正１６】
【補正対象書類名】明細書
【補正対象項目名】符号の説明
【補正方法】変更
【補正の内容】
【符号の説明】
１  角膜
２  虹彩
３  瞳孔
４  強膜
５  硝子体液
６  水晶体
７  網膜
８  小帯線維
９  視神経束
１０  眼
１１  毛様体輪
１２  切開部
１４  光チャンネル、ライン
１４．１  光ガイド（オプティカルガイド）
１５  モニタースクリーン
１６  カメラ
１９  光円錐体
２０  切断器具
２１  光源
２２  光ファイバー（ライトガイド）
２３  前面、前面部
２４  中間リング
２５  ハウジング
２６  ハウジング部材
２７  ハウジング部材
２８  キャップ閉鎖部
３０  摺動機構
３１  案内部材
３２  ピン
３３  スイベルナット、スイベルスクリュー
３３．１  凹部
３４  制御リング
３４．１  ねじ込みピン
３５  機能ユニット
３６  管状部材
３７  入口開口部
３８  管状部材
４０  ピン状制御部材
４１  盲孔
４１．１  凹部
４２  円筒部材
４３  ねじ込みピン
４４  圧縮ばね
４５  案内スリーブ
４５．１  円筒凹部
４６  プローブ
４６．１  内部空間
４７  杆状部
４７．１  半円アーム
４７．２  半円アーム
４８．１  にかわ接続点
４８．２  溶接接続点
４８．３  はんだ接続点
４９  凹部、出口開口部
５０  切断デバイス
５３  部材
５４  水平側面
５５  切断部材
５６  切刃
５７  切断端部
５７．１  切断面
５８  刃先
５９  ギャップ
６０  切断部材
６１  切刃
６２  切断端部
６３  刃先
６４  水平側面
６５  はさみ
Ｒ  半径
Ｌ  長さ